(57)【特許請求の範囲】
【請求項１】
前面枠の背面に遊技盤，および景品球払出装置が設けられた機構板を配設してなるパチンコ機であって、該前面枠の背面の下部に景品球払出装置を作動させるための電子回路が組込まれたコントロールパネルを固着し、該コントロールパネルから導出される配線を前面枠の背面に沿って配設してなることを特徴としたパチンコ機。
【請求項２】
コントロールパネルに前面枠の前面に露呈するコネクタを設け、球受用上皿に設けられたスピーカを該コネクタを介してコントロールパネルに配線してなることを特徴とした請求項１に記載のパチンコ機。
【請求項３】
コントロールパネルに前面枠の前面に露呈するコネクタを設け、球受用上皿に設けられた操作スイッチを該コネクタを介してコントロールパネルに配線してなることを特徴とした請求項１または２に記載のパチンコ機。
【請求項４】
前面枠の背面の上部隅角部に電源ターミナルパネルを固着してなることを特徴とした請求項１〜３のいずれかに記載のパチンコ機。
【発明の詳細な説明】
【０００１】
【発明の属する技術分野】
本発明は、前面枠の背面に遊技盤，機構板を配設してなるパチンコ機に関し、さらに詳しくは、その景品球払出装置を作動させるコントロールパネルの配置構造に関するものである。
【０００２】
【従来の技術】
周知のように従来から一般にパチンコ機は、木製またはプラスチック製の前面枠の裏側にベニヤ板からなる遊技盤を着脱可能に取り付けると共に、該前面枠の一側縁にプラスチック製の機構板を枢着し、該機構板の上部には景品球タンクが一体的に設けられ、該景品球タンクと隣り合うように該機構板の上隅部に電源ターミナルパネルが取着され、さらに該機構板の一側に景品球払出装置が設けられ、該機構板の下部には主として該景品球払出装置を作動させるための電子回路が組込まれたコントロールパネル、および入賞球処理装置が設けられている。そして、遊技盤に取付られたＣＲＴ，液晶表示装置等の画像表示装置、および該遊技盤の背面に取付けられた遊技制御用の電子回路基板であるメイン基板が該機構板の中央の窓孔内に位置している構成である。
【０００３】
【発明が解決しようとする課題】
このように従来のパチンコ機では、機構板に多くの主要な機器が取付けられ、かつその各回路基板等を結ぶ多数の配線を錯綜して設けねばならないので、充分なスペースがなく、各機器は小型化を余義なくされる状況であった。しかし、画像表示装置や遊技制御回路用のメイン基板等は、ディスプレイ，遊技内容等が複雑化するに従い次第に大型化する傾向であるのに対し、機構板には上記のように多数の機器が取着されていて、しかも配線用のスペースも要するので、余裕が無く、上記窓孔の大きさを拡大することもできないという問題がある。
【０００４】
また、従来コントロールパネルは機構板に固着されており、該コントロールパネルから導出した配線を球受用上皿に内蔵されているスピーカおよび球貸用操作スイッチ等に継いでいた。このため、配線が長くなり配線作業がしにくいと共に、機構板を前面枠から離したとき配線が邪魔になり断線させ易いおそれがあった。
【０００５】
【課題を解決するための手段】
本発明は上記課題を解決しようとするもので、前面枠の背面に遊技盤，および景品球払出装置が設けられた機構板を配設してなるパチンコ機であって、該前面枠の背面の下部に景品球払出装置を作動させるための電子回路が組込まれたコントロールパネルを固着し、該コントロールパネルから導出される配線を前面枠の背面に沿って配設してなることを特徴とする。
また、本発明は上記パチンコ機において、コントロールパネルに前面枠の前面に露呈するコネクタを設け、球受用上皿に設けられたスピーカを該コネクタを介してコントロールパネルに配線してなることを特徴とする。
また、本発明は上記パチンコ機において、コントロールパネルに前面枠の前面に露呈するコネクタを設け、球受用上皿に設けられた操作スイッチを該コネクタを介してコントロールパネルに配線してなることを特徴とする。
また、本発明は上記パチンコ機において、前面枠の背面の上部隅角部に電源ターミナルパネルを固着してなることを特徴とする。
【０００６】
【発明の実施の形態】
次に図面に従い本発明の実施の形態を説明する。図１に本発明に係るパチンコ機の正面図、図２にその背面図を示す。このパチンコ機は、図３の分解斜視図に示したように、木製の外枠１の一側に軸受具２をもって合成樹脂製の前面枠３が開閉自在に枢支され、該前面枠３の前面にはガラス枠６，球受用上皿７，溢れ球受用下皿８，打球発射用ハンドル９が設けられている。４は該前面枠３の裏側の下部隅角部に設けられた打球発射装置、５は該前面枠３を外枠１に閉止状態にてロックするために該前面枠３の裏側の自由端縁に設けられた鍵機構である。
【０００７】
球受用上皿７は、内部に効果音発声用のスピーカ７１が設けられていると共に、前面に球貸用の操作スイッチ７２およびカード返却用の操作スイッチ７３、およびセグメント表示装置７４が設けられる。
【０００８】
１０は該前面枠３の背面に設けたクランプ２９によって着脱自在に取付けられるベニヤ製の遊技盤で、該遊技盤１０の前面に釘，風車および種々の形態の入賞口２７、および液晶表示装置２８等が設けられ、背面には遊技制御用の電子回路基板であるメイン基板１４が収納された基板ケース１１，入賞球集合カバー１２が設けられている。１３は該液晶表示装置２８の後方部を被うカバー体である。
【０００９】
また、図４に示したように、前面枠３の背面の上部隅角部に方形枠状の区画部１６を形成し、該区画部１６中に電源ターミナルパネル１７を収容すると共に、その上より透明なプラスチック製のカバー１８を被せビス１９を締付することにより図５に示したように該電源ターミナルパネル１７を前面枠３の背面の上部隅角部に固設する。なお、遊技盤１０はこの電源ターミナルパネル１７の収納部１６の外形に合わせて一方の上隅部１５が直角状に切欠されている。
【００１０】
該電源ターミナルパネル１７は、電源端子２０に外部から２４ボルトの交流低電圧電源が接続され、その電源を過電流防止用のヒューズ２１および前面枠３の背面に沿って配設された配線２２を介して前記メイン基板１４に通電すると共に、ヒューズ２３および配線２４を介してコントロールパネル３０に通電している。なお、２５ａ〜２５ｅは遊技場内に別途に設けられる管理用コンピュータ（図示せず）に入賞，球貸，球切れ等の情報を電気信号として出力したり、該管理用コンピュータからの指令により打球発射の可否をコントロールするための信号を入力する情報入出力端子である。また２６ａ〜２６ｄは情報入出力端子２５ａ〜２５ｄに接続され、コントロールパネル３０から複数の配線５９を介して伝達される電気信号により作動し上記情報を伝達するために該電源ターミナルパネル１７に設けられたリレーである。
【００１１】
また、図６に示したように、前面枠３の背面の下部隅角部に略方形状枠の区画部６０を形成すると共に、該区画部６０の一部に前面に貫通するスリット状の透孔６１，６２を開設し、該区画部６０中にコントロールパネル３０を収容する。コントロールパネル３０は主として景品球払出装置４３を作動させるための電子回路が組込まれた電子回路基板で、前面を透明プラスチック製のカバー３３により被いビス３４を締め付けることにより固着される。そしてコントロールパネル３０の前面に該カバー３３から突出するコネクタ３５，３６が設けられ、裏面には前記透孔６１，６２から前面枠３の前面に露呈するコネクタ３７，３８、およびコネクタ４７，４８が設けられる。なおコネクタ３６は、このパチンコ機と隣接状に配置される台間球貸機（図示せず）を継ぐためのＤサブ形コネクタ、５５は故障個所表示用のセグメント表示器、５６，５７はそのリセット，セットスイッチである。
【００１２】
４０は中央に略々正方形状の窓孔４６が形成された合成樹脂製の機構板で、該機構板４０は前面枠３の一側に軸受具４９をもって開閉自在に枢支されている。該機構板４０は上部に景品球タンク４１が一体的に設けられているほか、該景品球タンク４１から下方に連なるように景品球誘導樋４２，景品球払出装置４３が設けられ、さらにその下流に景品球払出樋４４が形成されている。４５は該機構板４０の下部に設けられた賞球処理装置である。
【００１３】
コントロールパネル３０のコネクタ３５は配線５０を介してメイン基板１４と接続される。また、コネクタ４７は配線５９を介して電源ターミナルパネル１７に接続され、コネクタ４８は配線５３を介し打球発射装置４と接続される。５２はコントロールパネル３０と景品球払出装置４３を継ぐ配線である。
【００１４】
コネクタ３７，３８はコントロールパネル３０を区画部６０中に固着したとき透孔６１，６２より前面枠３の前面に露呈する。そして、球受用上皿７に設けられた前記操作スイッチ７２，７３およびセグメント表示装置７４と該コネクタ３７とを配線７５により接続すると共に、スピーカ７１とコネクタ３８とを配線７６により接続する。
【００１５】
このように構成したパチンコ機では、遊技盤１０の入賞口より流入した入賞球が賞球処理装置４５によってカウントされると、その電気信号は配線５１を介してコントロールパネル３０に伝達され、該コントロールパネル３０は景品球払出装置４３の払出モータに配線５２を介して回転指令を出して所定数の景品球を前面枠３前面の球受用上皿７に排出させる。また、メイン基板１４は遊技盤１０上の液晶表示装置２８に所定の動画を表示させると共に、コントロールパネル３０に効果音，入賞球数等の電気信号を配線５０を介して伝達している。
【００１６】
この場合、電源ターミナルパネル１７についてもコントロールパネル３０と同様に前面枠３の背面に固設したので、該コントロールパネル３０と電源ターミナルパネル１７とを結ぶ配線５９は図示したように前面枠３の背面に形成された溝５８内にすっきりと収納することができる。また、このように電源ターミナルパネル１７やコントロールパネル３０を前面枠３に直接固着したことによって、機構板４０を交換した場合でも該電源ターミナルパネル１７およびコントロールパネル３０を機構板４０とともに一緒に廃棄することとならないので、機構板４０の交換に要するコストが節減できる。
【００１７】
また、コントロールパネル３０より導出する多数本の配線５１，５３，５９等を前面枠３の背面に沿って配設し、打球発射装置４，賞球処理装置４５，電源ターミナルパネル１７等に接続させることができるので、従来のように機構板４０にこれらの配線を止着していた場合と比較すると、配線系路に自由度が増し、特に従来のように窓孔４６の周囲に配線束が密集しないので、スペースに余裕ができて該窓孔４６を大きく拡大することができる。このため液晶表示装置を収容するケース体１３や基板ケース１１が大きくなっても、これらを余裕をもって該窓孔４６中に位置させることができる。
【００１８】
また、球受用上皿７に設けられたスピーカ７１や操作スイッチ７２，７３を前面枠３の透孔６１，６２より前面に露呈するコントロールパネル３０のコネクタ３７，３８に接続できるようにしたので、それらの配線７５，７６が短かくできると共に、機構板４０を前面枠３から離したときにも、これらの配線が邪魔になることなく断線させるおそれも軽減される。そして大当たり発生時等に該スピーカ７１から効果音を発声させると共に、遊技者は必要に応じ操作スイッチ７２，７３を操作することにより、球貸およびカード返却等を操作できる。
【００１９】
【発明の効果】
このように本発明のパチンコ機は、コントロールパネルを前面枠に固着したことによって、該コントロールパネルと継がる種々の配線を容易ならしめると共に、機構板のスペースに余裕を持たせるので、機構板上への機器の配置を容易ならしめるなど、顕著な効果がある。
【図面の簡単な説明】
【図１】本発明に係るパチンコ機の表面図。
【図２】本発明に係るパチンコ機の裏面図。
【図３】本発明に係るパチンコ機の分解斜視図。
【図４】本発明に係るパチンコ機の前面枠の背面の部分拡大分解斜視図。
【図５】本発明に係るパチンコ機の前面枠の背面の部分拡大斜視図。
【図６】本発明に係るパチンコ機の前面枠の背面の部分拡大分解斜視図。
【図７】本発明に係るパチンコ機の前面枠の背面の部分拡大斜視図。
【図８】本発明に係るパチンコ機の前面枠に遊技盤を取り付けた状態の背面図。
【図９】図８のＡ−Ａ線断面拡大図。
【符号の説明】
１                外枠
３                前面枠
４                打球発射装置
７                球受用上皿
１０              遊技盤
１４              メイン基板
１７              電源ターミナルパネル
３０              コントロールパネル
３５              コネクタ
３６              コネクタ
３７              コネクタ
３８              コネクタ
４０              機構板
４１              景品球タンク
４３              景品球払出装置
４５              賞球処理装置
４７              コネクタ
４８              コネクタ
５０              配線
５１              配線
５３，５９        配線
６１，６２        透孔
７１              スピーカ
７２              操作スイッチ
７３              操作スイッチ
７４              セグメント表示装置
７５              配線
７６              配線
【図１】
0004154009.tif 000002
【図２】
0004154009.tif 000003
【図３】
0004154009.tif 000004
【図４】
0004154009.tif 000005
【図５】
0004154009.tif 000006
【図６】
0004154009.tif 000007
【図７】
0004154009.tif 000008
【図８】
0004154009.tif 000009
【図９】
0004154009.tif 000010